(57)【要約】【課題】本発明は、近年の環境保護の問題により特に注目される空気調和機、電気冷蔵庫等の圧縮機の廃棄について、従来のオイルの回収方法の問題点を解決するものであり、オイルの回収作業性の向上、オイルの回収率の向上を可能とする密閉型圧縮機を提供することを目的とする。【解決手段】密閉容器内１に電動要素６と圧縮要素５とを備え、前記密閉容器１内の下部にオイルを貯留し、内部には冷媒を保留すると共に前記密閉容器の下シェル２の底面にオイル排出部品９を有し、該オイル排出部品は、円形のベースで構成されており、前記密閉容器の取り付け穴周縁部に溶接固定される取り付け部とを有し、密閉容器内のオイルに容易に破壊されて連通するよう構成した。【選択図】図２
2006207477.tif 000002
【特許請求の範囲】
【請求項１】
密閉容器内に電動要素と圧縮要素を備え、前記密閉容器内の下部にオイルを貯留し、前記密閉容器の下シェルの底面にオイル排出部品を有し、該オイル排出部品は、円形のベースで構成されており、前記密閉容器の取り付け穴周縁部に溶接固定される取り付け部とを有し、前記オイル排出部品は前記密閉容器内の前記オイルに連通することを特徴とする密閉型回転圧縮機。
【請求項２】
密閉容器内に電動要素と圧縮要素を備え、前記密閉容器内の下部にオイルを貯留し、前記密閉容器の側面にオイル排出部品を有し、該オイル排出部品は、円形のベースで構成されており、前記密閉容器の取り付け穴周縁部に溶接固定される取り付け部とを有し、前記オイル排出部品は前記密閉容器内の前記オイルに連通することを特徴とする密閉型回転圧縮機。  
【請求項３】
前記オイル排出口を金属製で構成した前記オイル排出部品を有することを特徴とする請求項１，２記載の密閉型回転圧縮機。
【請求項４】
請求項１〜３記載のオイル排出部品を有する横型の密閉型回転圧縮機。
【発明の詳細な説明】
【技術分野】
【０００１】
本発明は、空気調和機、電気冷蔵庫等の圧縮機を解体或いは粉砕する前に行われるオイルの抜き取りを容易にする圧縮機の構造に関するものである。
【背景技術】
【０００２】
従来より、特許文献１に開示されているように、圧縮機構と電動機とを溶接構造のハウジングに密閉して形成される密閉型圧縮機が知られている。この密閉型圧縮機は、冷媒が漏洩せず、水分の侵入等のおそれも無いことから高い信頼性を有し、空調機や冷蔵庫に広く用いられている。
【０００３】
上記密閉型圧縮機では、従来、鉄、アルミニウム、銅、プラスチック等、或いは、これらの複合材からなる産業廃棄物は粉砕機等を使用して粉砕した後、分離・選別することによりリサイクルを行っていた。
【０００４】
また、圧縮機等の廃棄物は内部にオイルが封入されているため、そのままの状態で粉砕機に投入すると、オイルが燃焼し、爆発の危険性があることから、ランニング設備及びコスト高の低温破砕、不活性ガス中での破砕等を行う必要があった。従って、一般的には安価な溶断等による手解体が主に行われていた。
【特許文献１】特開平６−１５９２７４号公報
【発明の開示】
【発明が解決しようとする課題】
【０００５】
しかしながら、溶断等による手解体は火炎が飛び、火災ややけどの危険性を伴う作業で、発煙により周囲環境を悪化させ、且つ、作業者の処理能力にも限界があることから、破砕機等を使用して安全に処理するためには、あらかじめ廃棄物からオイルを効率よく抜き取る必要があった。
【０００６】
しかしながら、廃製品にはいろいろな状態のものがあり、冷凍サイクル内に充填されたオイルが甚だしく変色したものもある。この様な状況下で装置をメンテナンスするには様々な不都合があった。
【０００７】
本発明は、従来技術の有するこのような問題に鑑みてなされたものであり、周囲環境を汚染することなく解体を安全に行うことができ、解体部品の再資源化が容易にできるよう、オイル抜き取りを安全・容易にでき、オイルの回収作業性の向上、オイルの回収率の向上を可能とする圧縮機を提供することを目的としている。
【課題を解決するための手段】
【０００８】
この目的を達成するため本発明のうち請求項１に記載の密閉型圧縮機は、密閉容器内に電動要素と圧縮要素とを備え、前記密閉容器内の下部にオイルを貯留し、内部には冷媒を保留すると共に前記密閉容器の下シェルの底面にオイル排出部品を有し、該オイル排出部品は、円形のベースで構成されており、前記密閉容器の取り付け穴周縁部に溶接固定される取り付け部とを有し、前記オイル排出部品は前記密閉容器内の前記オイルに連通するよう構成したものである。
【０００９】
また、請求項２に記載の発明は、前記密閉容器内に電動要素と圧縮要素を備え、前記密閉容器内の下部にオイルを貯留し、前記密閉容器の側面にオイル排出部品を有し、該オイル排出部品は、円形のベースで構成されており、前記密閉容器の取り付け穴周縁部に溶接固定される取り付け部とを有し、前記オイル排出部品は前記密閉容器内の前記オイルに連通するよう構成したものである。
【００１０】
また、請求項３記載の発明は、前記オイル排出部品を金属で構成したものである。
【００１１】
また、請求項４記載の発明は、前記オイル排出部品を横型密閉圧縮機の側面  もしくは下シェルに取り付けて構成したものである。
【００１２】
上記の解決手段によれば、密閉容器の下シェル底面にオイル排出部品を設ける事によって、空気調和機や冷蔵庫等に搭載の密閉型圧縮機の廃棄時に、配管を切断して密閉型圧縮機を空気調和機や冷蔵庫等本体から取り外した後、密閉容器の下シェル底面のオイル排出部品をハンマーや簡単な治具等を用いて容易に破壊でき、連通する密封された内部のオイルをこの破壊して現れたオイル排出口から、オイルの自重等によって別途用意した回収容器等へ容易に排出することができる。
【発明の効果】
【００１３】
本発明の密閉型圧縮機は、密閉容器の下シェル底面にオイル排出部品を設ける事によって、空気調和機や冷蔵庫等に搭載の密閉型圧縮機の廃棄時に、配管を切断して密閉型圧縮機を空気調和機や冷蔵庫等本体から取り外した後、密閉容器の下シェル底面に設けたオイル排出部品をハンマーや簡単な治具等によって、容易にこの封印部分を破壊させることができ、それにより現れたオイル排出口から、別途用意した回収容器等へオイルを容易に回収することができるので、従来の廃棄方法に比べ、オイルの回収作業性の向上、オイルの回収率の向上を図ることができる。
【発明を実施するための最良の形態】
【００１４】
以下、本発明の実施形態の形態を図面に基づいて詳細に説明する。
【００１５】
(実施の形態１)
図１は本発明の第１の実施の形態におけるオイル排出部品９を示す図である。
【００１６】
図１おいて８はオイル排出部品の円形のベースを示し、金属で構成している。又、円形ベース８の外周は、円柱形状１１となっており、更にその外周は円錐形状１２となって、密閉容器の下シェル２の取付穴周縁部に溶接固定される。
【００１７】
図２は、オイル排出部品９を上シェル３、下シェル２、胴シェル４、電動要素６と圧縮要素５及び圧縮要素を潤滑するオイル７で構成された密閉型圧縮機の下シェル２の底面に取り付けたものである。
【００１８】
空気調和機や冷蔵庫等に搭載の密閉型圧縮機の廃棄時に、配管を切断して密閉型圧縮機を空気調和機や冷蔵庫等本体から取り外した後、密閉型圧縮機を架台や冶具等に設置、オイル排出部品をハンマーや簡単な治具等を用いて容易に破壊しオイル排出部品９を開口することができる。その後、この開口したオイル排出部品内から、これに連通する密封された内部のオイルを自重等によって別途用意した回収容器等へ容易に排出することができる。この場合、自重による取り出し以外に、上部吐出管より低圧空気を加え排出してもよい。又、開口したオイル排出部品内より水を注入することで、吐出管よりオイルを回収することもできる。
【００１９】
(実施の形態２)
本発明の第２の実施の形態は、図３の様にオイル排出部品９を密閉容器１電動要素６と圧縮要素５及び圧縮要素を潤滑するオイル７で構成された密閉型圧縮機の密閉容器１の胴シェル４の側面に取り付けたものである。ここで、密閉容器１は、上シェル３と下シェル２と胴シェル４で構成されている。
【００２０】
(実施の形態３)
オイル排出部品９は、図４に示すように下シェル２の側面に取り付ける構成としてもよい。
【００２１】
(実施の形態４)
オイル排出部品９は、図５に示すように上シェル３の側面に取り付ける構成としてもよい。
【００２２】
(実施の形態５)
本発明の第５の実施の形態は、図６の様に横型密閉圧縮機の下シェル底面にオイル排出部品を取り付けるよう構成したものである。
【００２３】
ここで、密閉容器１は、上シェル３と下シェル２と胴シェル４で構成されている。
【００２４】
(実施の形態６)
オイル排出部品９は、図７に示すように胴シェル４の側面に取り付ける構成としてもよい。
【００２５】
実施の形態５、６の場合、横型密閉容器のオイル排出部品を前記密閉容器の下シェル２や胴シェル４に取付けており、横型密閉型圧縮機を空気調和機や冷蔵庫等本体から取り外した後、そのままの状態の横置きのまま、或いは、横型密閉圧縮機を縦向きに架台や冶具等に立て安定した状態で、オイル排出部品をハンマーや簡単な治具等を用いて容易に破壊でき、その後、このオイル排出口を下向きに位置させて、これに連通する密封された内部のオイルをこの破壊して現れたオイル排出部品内のオイル排出口から、オイルの自重等によって別途用意した回収容器等へ容易に排出することができ、作業効率の向上ができる。
【産業上の利用可能性】
【００２６】
以上のように、本発明にかかる密閉型圧縮機は、その密閉容器内下シェル底部にハンマーや簡単な冶具等で破壊しオイル排出口を容易に開口できるオイル排出用部品を設けているので、容易に内部残留オイル等を外部へ取り出せ、密閉型圧縮機に限らず、耐圧容器や単に容器においても内部流体を外部へ抽出するために利用できる。
【図面の簡単な説明】
【００２７】
【図１】本発明実施の形態１に係るオイル排出部品の断面図
【図２】本発明の実施の形態１に係る圧縮機の概略構成図
【図３】本発明の実施の形態２に係る圧縮機の概略構成図
【図４】本発明の実施の形態３に係る圧縮機の概略構成図
【図５】本発明の実施の形態４に係る圧縮機の概略構成図
【図６】本発明の実施の形態５に係る横型密閉圧縮機の概略構成図
【図７】本発明の実施の形態６に係る横型密閉圧縮機の概略構成図
【符号の説明】
【００２８】
１  密閉容器
２  下シェル
３  上シェル
４  胴シェル
５  圧縮要素
６  電動要素
７  オイル
８  オイル排出部品の円形のベース
９  オイル排出部品
１１  円柱形状
１２  円錐形状
【図１】
2006207477.tif 000003
【図２】
2006207477.tif 000004
【図３】
2006207477.tif 000005
【図４】
2006207477.tif 000006
【図５】
2006207477.tif 000007
【図６】
2006207477.tif 000008
【図７】
2006207477.tif 000009